(57)【要約】      （修正有）【課題】靴のインソールの下に入れて、時間計測や行動管理、歩数管理等に使うＩＣタグを提供する。【解決手段】スペーサーとして鑽孔された白ＰＥＴ３を挟んで、上下にＨＭ系ＴＰＵフィルム２とそれを保護するＯ−ＰＥＴ１又はエラストマーシートを設けた複層構造を持ち、ＨＭ系ＴＰＵフィルムの下側の片側（白ＰＥＴに面側）に事前にシルク印刷でブーストアンテナを印刷して置き、白ＰＥＴと位置を合わせて重ね合わせた後、鑽孔部分に小型で薄型のインレットを嵌め込み、電磁誘導でブーストアンテナと接合、その反対側に蓋をするように上側のＨＭ系ＴＰＵフィルムでこの白ＰＥＴを挟みこんで熱接着し一体化してＩＣタグを作り、更に両側のＴＰＵフィルムの保護剥離紙を剥がしてからＯ−ＰＥＴ１、６又はエラストマーシートで上下をカバーして、耐擦り傷性と耐圧堅牢性、弾性効果等を確保した。【選択図】図１
0003234532.tif 000002
【実用新案登録請求の範囲】
【請求項１】
マラソンや競歩、ウォーキング大会など、スポーツ競技の通過時間の確認や、ゴールタイム計測用のＩＣタグであって、運動靴の中でインソールの下に入れて使用する事を特徴とするＩＣタグ。
【請求項２】
歩行や走行時にＩＣタグに架かる様々な圧力や外力に対して耐えることが出来る可撓性、耐久性、耐圧性、防水性等に優れ、防臭、防菌効果等の複合機能も付加出来る、靴用ＩＣタグ。
【考案の詳細な説明】
【技術分野】
【０００１】本考案は靴の中のインソールの下に入れて時間計測や行動管理、歩数管理等に使うＩＣタグに関する。【０００２】マラソン等の時間計測には近年ＲＦＩＤが使われている。その多くはゼッケンや衣服部分、靴紐、靴の外等に取り付けるタイプのＩＣタグであった。
特にマラソンなどの運動選手にとって靴の中は、ちょっとした異物や突起があっても気になる非常に繊細で微妙な場所である。【０００３】それ故、靴の中に入れて使うＩＣタグは、耐圧性や耐摩耗性などの要求も厳しく、人体に近く通信飛距離も稼げないので、この場所への装着は無理とされていた。【０００４】本考案のＩＣタグは、人が履く靴のインソールの下に入れて使う事が出来る、薄型の靴用ＩＣタグである。
【背景技術】
【０００５】これまでは導体である人体に近づけてＩＣタグを取り付けると電波が飛ばなくなり、使えないとされて来た。それゆえ近年多くのマラソン大会等でもタイム計測用に、ＩＣタグが採用されているが、運動靴の靴紐部分に付けるものが多かった。【０００６】また、運動選手にとって運動靴の中に異物を入れる事には大変抵抗があり、足に負荷が掛かる恐れから、これまでは靴の中に入れて使うという発想自体がなかった。【０００７】ランニングは、ランナーの胸部分で計測して公式タイムとするのが正式な方法であるが、ゼッケンやユニフォームに付けたＩＣタグは、受信アンテナとＩＣタグの距離が遠くなり、アンテナの設置向きや設置場所によって、不安定な計測になる事が多々あった。【０００８】しかも競技者が競り合った場面では、アンテナとリーダーとの間に他の競争者が入り、電波が遮断されて必要な計測ができない事もあった。【０００９】以前は、これらの防止策として、予備の受信アンテナ準備して置き、それをあらかじめゴール地点数か所に設けて置いて、データの取りこぼしを防止していた。【００１０】その点では、靴に付ける方式は、路上に設置した受信アンテナとの距離が短くなり、間に障害も入る事なく都合は良い。しかし、ＩＣタグを靴紐にしっかり取り付けなければ脱落する恐れもあった。【００１１】大会終了後のタグ回収作業では、靴紐からの取り外しとタグの回収に多くの人手と時間がかかり、人件費などの経費高にもなっていた。【００１２】本考案は前述の課題や不都合を改善すべくなされた考案であり、靴中のインソールの下に投げ込んで使用する事を特徴とする、運動タイムの計測や行動時間管理や動向管理用の靴用ＩＣタグである。
【先行技術文献】
【特許文献】
【００１３】
【特許文献１】特開２０１６−０２６３３４号、競技用タイム計測システム
【特許文献２】実登３２０４６７９号、シューズ用ＲＦＩＤタグ及びＲＦＩＤタグ付きシューズ
【特許文献３】特開２０１６−１７２０１６号、ＲＦＩＤがトリガーする個人用運動装置
【特許文献４】特開２００６−２７１６１１号、レース情報システム
【考案の概要】
【考案が解決しようとする課題】
【００１４】前述の問題点や課題を解決すべく様々な工夫や検討を行った結果、到達した靴中用のＩＣタグである。歩行や走行時に発生する様々な圧力や外圧に耐える薄型のＩＣタグであり、靴中のインソールの下に入れても、全く装着実感や違和感のない靴用ＩＣタグである。【００１５】本考案のＩＣタグを運動靴のインソールの下に投げ込み、これを実際にアスリートに履いてもらって走行確認したところ、本人は足の違和感も全く無く累計３４０ｋｍを超える実用に耐える事を確認した。【００１６】この靴用タグを実際に靴に入れて、走行した状態で地面に設けた受信用アンテナの上を通過したところ、確実に電波を検知する事を見出し、本考案に至った。。
【課題を解決するための手段】
【００１７】本考案は、耐圧性と柔軟性を付加するためにＴＰＵフィルムとＰＥＴフィルムの組み合わせで構成する。ＴＰＵフィルムは主に柔軟性と、クッション効果を、ＰＥＴフィルムはインレットの安定性と耐圧性と、耐摩耗性を受け持つ役割がある。【００１８】キャリア付きＨＭ系ＴＰＵフィルム３０μに、ブースターアンテナを印刷する。このパターンは小型インレットに適合するように組み合わせて設計したアンテナパターンである。【００１９】このブースターアンテナは、伸縮性のあるウレタン用銀ペーストでＴＰＵフィルムにシルク印刷される。【００２０】耐圧性の役割を持つ白ＰＥＴは、事前に小型インレットの外形寸法に合わせて鑽孔され、この部分に埋め込まれた小型インレットのＩＣチップの破損を防止する。【００２１】この白ＰＥＴと前記のブーストアンテナを印刷したキャリア付きＴＰＵフィルムを、中心部分で見当を合わせてウレタン系接着剤もしくはスポット熱接着で仮止めする。【００２２】これで位置がずれる事無く白ＰＥＴの鑽孔された部分に小型インレットを埋め込むことが出来る。この埋め込みには弾力性のある粘着剤が役に立つ。このようにして電磁誘導で機能するＩＣタグが出来る。【００２３】この白ＰＥＴの反対面に同じ３０μのキャリア付きＨＭ系ＴＰＵフィルムを重ね合わせてキャリアごとヒートラミすると、白ＰＥＴと小型インレットがＴＰＵフィルムにサンドされ一体化した状態のＩＣタグが出来る。【００２４】両面のＴＰＵフィルムからキャリアフィルムを除去し、表裏のＴＰＵフィルムに所定の絵柄や文字等を印刷した後、この両面に熱軟化性接着剤を内面に塗工したＰＥＴフィルム（パウチッコフィルムなど）で被覆、必要な形状に型抜きして本考案のＩＣタグを完成する。【００２５】従って、本考案の層構成はＰＥＴ／ＨＳ／／印刷／ＨＭ系ＴＰＵ／／白ＰＥＴ１（鑽孔部分粘着付き小型インレット埋込）／／印刷ブーストアンテナ付きＨＭ系ＴＰＵ／印刷／ＨＭ／ＰＥＴとなる。【００２６】本案の層構成で使用するフィルムの厚さはＴＰＵ１５μ〜１００μ、インレットを圧から守る白ＰＥＴは１００μ〜２００μ、最外装のＰＥＴフィルムは１２μ〜１００μまで使用可能であるが好ましくは、それぞれＴＰＵが３０μ、白ＰＥＴが１２０μ、最外装ＰＥＴが８０μでタグの総厚さが５００μの範囲に収まるのが良い。
【考案の効果】
【００２７】本考案のＩＣタグは薄型である。インレットを外部圧力から守る白ＰＥＴは使うインレットの厚さに応じて変えれば良い。また、インレットの上下に来るＨＭ系ＴＰＵフィルムとインレットの粘着剤はＩＣチップの離脱保護と柔軟性、更に印刷性を担保し、最外装のＰＥＴフィルムは耐摩耗性、耐擦傷性などを担保している。【００２８】この層構成の薄型ＩＣタグを運動靴のインソールの下に入れて様々な形で累積走行距離を確認したところ、３００ｋｍ越えでも通信飛距離が減耗する事なく、地面上に設置した受信アンテナでしっかりＩＤ情報を捉えることが出来た。
【図面の簡単な説明】
【００２９】
【図１】本考案の実施に係る：計測用ＩＣタグの層構成
【図２】本考案の実用に係る：装着シューズの概略図
【考案を実施するための形態】
【００３０】本考案はマラソンやトレッキングなどの運動系の時間計測用や入退管理や行動管理等に使う靴用のＩＣタグであって、靴の中のインソールの下に入れて使う事を特徴とするＩＣタグである。
【００３１】靴の中に入れて使う事から、出来るだけ薄くして装着感をなくし、使用者が足への負荷を感じないものでなければならない。好ましくは層厚０．５ｍｍ以下が良い。
【００３２】足にかかる体重負荷は靴の中に耐圧センサーを入れて測定すると、土踏まずを間に挟んで後ろの踵部分と前部の足指、それに足指の付け根部分に負荷が多いことが分かる。
【００３３】このタグは靴の中に入れて使う事から、様々な外圧に耐える耐圧性の他に柔軟性（風合い）、耐擦傷性、防汚性、耐印刷性、耐水性などの厳しい条件が求められる。
【実施例】
【００３４】使用する小型インレットに適した増幅用のブースターアンテナを設計し、そのパターンを紙キャリア付きＴＰＵフィルム、（シルクロン１２０−３０ＰＡ大倉工業製）のＴＰＵ面にウレタン用導電性銀ペースト、（ドータイトＸＡ９５２１藤倉化成製）を使ってシルク印刷した。【００３５】白ＰＥＴにあらかじめインレットの外形寸法で鑽孔したものを準備し、この穴とこのＴＰＵフィルムに印刷したアンテナパターンのインレット貼り付け位置が丁度合うように見当を合わせて仮止め後、その穴に小型インレットを埋め込みＩＣタグを作る。そして更にその上に同じＴＰＵフィルムを貼り合わせ、白ＰＥＴの上下をサンドする形で熱ラミし一体化する。【００３６】白ＰＥＴと一体化した後、両面のＴＰＵのキャリアを剥がしてそこに必要な絵柄を印刷しても良い。【００３７】しかる後、ＴＰＵフィルムの両側からＨＳ剤を塗工したＰＥＴフィルム（例えばパウチッコフィルムなど）を使って熱ラミし、ＩＣタグに耐摩耗性、耐擦り傷性等を付加して、必要寸法にトリミングし本考案のＩＣタグを作った。
【産業上の利用の可能性】
【００３８】本考案のＩＣタグは、マラソンやトレッキング、ウォーキング大会などの通過時間やゴールタイムの計測用に用いるタグである。様々な要求機能を満足し、使用者に装着感をほとんど感じさせない靴中用の計測タグである。
【００３９】このタグは、スポーツ用に開発したものであるが、それにとどまることなく一般の人の行動管理や入退管理等にも使うことが出来る。例えば工場勤務者の靴の中に入れてその人間が何時、何処にいてそこで何をしていたかの行動時間も把握することも出来る。
【００４０】例えば営業マンの靴の中に入れて置けば、彼が会社で何処を歩いたかが把握できるし、小学生の靴の中に入れて置けば、登下校管理にも使うことが出来る。
【００４１】また、徘徊老人や園児の靴の中に入れて置けば、動向管理や人数管理等でもそれぞれ必要な場所に受信アンテナを設けて、それらの人たちの見守りツールとして使う事も出来る。
【符号の説明】
【００４２】１．▲１▼，▲６▼は表装用ＰＥＴフィルム
２．▲２▼は絵柄を印刷されたＨＭ系ＴＰＵフィルム
３．▲３▼は鑽孔された白ＰＥＴ
４．▲４▼は小型のＩＣインレット
５．▲５▼は白ＰＥＴ側にアンテナを、反対側に絵柄を印刷したＨＭ系ＴＰＵフィルム
【図１】
0003234532.tif 000003
【図２】
0003234532.tif 000004
【手続補正書】
【提出日】令和3年6月17日(2021.6.17)
【手続補正１】
【補正対象書類名】実用新案登録請求の範囲
【補正対象項目名】全文
【補正方法】変更
【補正の内容】
【実用新案登録請求の範囲】
【請求項１】
スペーサーとして鑽孔された白ＰＥＴを挟んで、上下にＨＭ系ＴＰＵフィルムとそれを保護するＯ−ＰＥＴ又はエラストマーシートを設けた複層構造を持ち、該ＨＭ系ＴＰＵフィルムの下側の片側（白ＰＥＴに面側）に事前にシルク印刷でブーストアンテナを印刷して置き、白ＰＥＴと位置を合わせて重ね合わせた後、鑽孔部分に小型で薄型のインレットを嵌め込み、電磁誘導でブーストアンテナと接合、その反対側に蓋をするように上側のＨＭ系ＴＰＵフィルムでこの白ＰＥＴを挟みこんで熱接着し一体化してＩＣタグを作り、更に両側のＴＰＵフィルムの保護剥離紙を剥がしてからＯ−ＰＥＴ又はエラストマーシートで上下をカバー、耐擦り傷性と耐圧堅牢性、弾性効果等を確保して、インソールの下に入れ込んで使う薄型のＩＣタグであって、日常行動の見守りやマラソン、競歩、ウォーキング大会などのスポーツ競技の時間計測やゴールタイムの計測に用いるＩＣタグ。
【請求項２】
ＨＭ系ＴＰＵフィルムの片面に伸縮する導電ペーストでブーストアンテナを印刷し、所定の場所に小型の薄いインレットをウレタン系の粘着剤や接着剤などで貼り付け、同じＨＭ系ＴＰＵフィルムで狭設一体化した「伸縮するＩＣタグ」の下側片面に、粘着剤や接着剤で弾力性に富むエラストマーシートを貼り合わせ、もう片面を転写紙絵柄などでこの「伸縮するＩＣタグ」を接着被覆した事を特徴とするＩＣタグであって、歩行や走行時にＩＣタグに架かる様々な圧力やショックを吸収する可撓性、耐久性、耐圧性、防水性等に優れたＩＣタグで、靴の中底に直接もしくは中敷きの下に装着し、更に抗菌、消臭剤入りエラストマーシートを使って防臭、防菌効果等の複合機能も付加する事が出来る、靴中用ＩＣタグ。